【手続補正書】
【提出日】平成25年4月4日(2013.4.4)
【手続補正１】
【補正対象書類名】特許請求の範囲
【補正対象項目名】全文
【補正方法】変更
【補正の内容】
【特許請求の範囲】
【請求項１】
被写体として人物像を含む動画像データを記録する記録部と、
上記動画像データに基づいて、上記人物像の頭部の変化を検出し、該頭部の変化の態様を判定する頭部変化判定部と、
上記頭部の変化の態様に基づいて、上記動画像データに画像処理を行う画像処理部と、
を具備することを特徴とする動画像データ生成機器。
【請求項２】
上記頭部変化判定部の判定結果に基づいて、上記人物像の変化の態様を解析する動作解析部を更に具備し、
上記画像処理部は、上記人物像の変化の態様に基づいて、上記動画像データに画像処理を行うことを特徴とする請求項１に記載の動画像データ生成機器。
【請求項３】
上記頭部変化判定部は、上記頭部の向き若しくは大きさの変化を判定し、又は上記動作解析部は上記人物像の向き若しくは大きさの変化を解析することを特徴とする請求項１又は２に記載の動画像データ生成機器。
【請求項４】
上記頭部の変化の態様に含まれる時間、又は上記人物像の変化の態様に含まれる時間を計時する計時部を更に具備し、
上記画像処理部は、上記計時部によって計時された上記時間に基づいて、上記動画像データに対して画像処理を行うことを特徴とする請求項１又は３に記載の動画像データ生成機器。
【請求項５】
上記画像処理部は、時間的に変化する画像処理を上記動画像データに行うことを特徴とする請求項１乃至４のうちいずれか一項に記載の動画像データ生成機器。
【請求項６】
上記頭部変化判定部は上記頭部の変化の態様を予め定められたパターンに分類して判定し、又は上記動作解析部は上記人物像の変化の態様を予め定められたパターンに分類して判定し、
上記画像処理部は、上記パターンに基づいて、上記動画像データに対して画像処理を行うことを特徴とする請求項１乃至５のうちいずれか一項に記載の動画像データ生成機器。
【請求項７】
上記頭部変化判定部は上記頭部の変化の開始時点及び終了時点を判定し、又は上記動作解析部は上記人物像の変化の開始時点及び終了時点を解析し、
上記画像処理部は、上記開始時点及び終了時点に基づいて、上記動画像データに対して画像処理を行うことを特徴とする請求項１乃至６のうちいずれか一項に記載の動画像データ生成機器。
【請求項８】
上記画像処理部は、上記動画像データの上記開始時点から上記終了時点までの間の該動画像データに対して画像処理を行うことを特徴とする請求項７に記載の動画像データ生成機器。
【請求項９】
上記画像処理部は、上記動画像データの上記開始時点から上記終了時点までの時間が所定時間以内の場合に、該動画像データに対して画像処理を行うことを特徴とする請求項７又は８に記載の動画像データ生成機器。
【請求項１０】
上記人物像の顔の向きを検出する顔検出部を更に具備し、
上記頭部変化判定部は、上記顔の向きに基づいて上記頭部の変化の態様を判定することを特徴とする請求項１乃至９のうちのいずれか一項に記載の動画像データ生成機器。
【請求項１１】
上記頭部変化判定部は上記人物像の頭部の動きと共に静止状態を判定し、又は上記動作解析部は上記人物像の動きと共に静止状態を解析することを特徴とする請求項１乃至１０のうちのいずれか一項に記載の動画像データ生成機器。
【請求項１２】
被写体として人物像を含む動画像データを記録し、
上記動画像データに基づいて、上記人物像の頭部の変化を検出し、該頭部の変化の態様を判定し、
上記頭部の変化の態様の判定結果に基づいて、上記動画像データに対して画像処理を行う、
ことを特徴とする動画像データ生成方法。
【手続補正２】
【補正対象書類名】明細書
【補正対象項目名】発明の名称
【補正方法】変更
【補正の内容】
【発明の名称】動画像データ生成機器および動画像データ生成方法
【手続補正３】
【補正対象書類名】明細書
【補正対象項目名】０００１
【補正方法】変更
【補正の内容】
【０００１】
本発明は、動画像データ生成機器および動画像データ生成方法に関し、詳しくは、撮影時における画像処理を自動的に選択可能な動画像データ生成機器および動画像データ生成方法に関する。
【手続補正４】
【補正対象書類名】明細書
【補正対象項目名】０００６
【補正方法】変更
【補正の内容】
【０００６】
本発明は、このような事情を鑑みてなされたものであり、撮影中に特別な操作を行うことなく、変化に富んだ動画像を取得することの可能な動画像データ生成機器および動画像データ生成を提供することを目的とする。
【手続補正５】
【補正対象書類名】明細書
【補正対象項目名】０００７
【補正方法】変更
【補正の内容】
【０００７】
上記目的を達成するため第１の発明に係わる動画像データ生成機器は、被写体として人物像を含む動画像データを記録する記録部と、上記動画像データに基づいて、上記人物像の頭部の変化を検出し、該頭部の変化の態様を判定する頭部変化判定部と、上記頭部の変化の態様に基づいて、上記動画像データに画像処理を行う画像処理部と、を具備する。
【手続補正６】
【補正対象書類名】明細書
【補正対象項目名】０００８
【補正方法】変更
【補正の内容】
【０００８】
第２の発明に係わる動画像データ生成機器は、上記第１の発明において、上記頭部変化判定部の判定結果に基づいて、上記人物像の変化の態様を解析する動作解析部を更に具備し、上記画像処理部は、上記人物像の変化の態様に基づいて、上記動画像データに画像処理を行う。
第３の発明に係わる動画像データ生成機器は、上記第１又は第２の発明において、上記頭部変化判定部の判定結果に基づいて、上記人物像の変化の態様を解析する動作解析部を更に具備し、上記画像処理部は、上記人物像の変化の態様に基づいて、上記動画像データに画像処理を行う。
第４の発明に係わる動画像データ生成機器は、上記第１又は第３の発明において、上記頭部の変化の態様に含まれる時間、又は上記人物像の変化の態様に含まれる時間を計時する計時部を更に具備し、上記画像処理部は、上記計時部によって計時された上記時間に基づいて、上記動画像データに対して画像処理を行う。
【手続補正７】
【補正対象書類名】明細書
【補正対象項目名】０００９
【補正方法】変更
【補正の内容】
【０００９】
第５の発明に係わる動画像データ生成機器は、上記第１乃至第４の発明において、上記画像処理部は、時間的に変化する画像処理を上記動画像データに行う。
第６の発明に係わる動画像データ生成機器は、上記第１乃至第５の発明において、上記頭部変化判定部は上記頭部の変化の態様を予め定められたパターンに分類して判定し、又は上記動作解析部は上記人物像の変化の態様を予め定められたパターンに分類して判定し、上記画像処理部は、上記パターンに基づいて、上記動画像データに対して画像処理を行う。
【手続補正８】
【補正対象書類名】明細書
【補正対象項目名】００１０
【補正方法】変更
【補正の内容】
【００１０】
第７の発明に係わる動画像データ生成機器は、上記第１乃至第６の発明において、上記頭部変化判定部は上記頭部の変化の開始時点及び終了時点を判定し、又は上記動作解析部は上記人物像の変化の開始時点及び終了時点を解析し、上記画像処理部は、上記開始時点及び終了時点に基づいて、上記動画像データに対して画像処理を行う。
第８の発明に係わる動画像データ生成機器は、上記第７の発明において、上記画像処理部は、上記動画像データの上記開始時点から上記終了時点までの間の該動画像データに対して画像処理を行う。
第９の発明に係わる動画像データ生成機器は、上記第７又は第８の発明において、上記画像処理部は、上記動画像データの上記開始時点から上記終了時点までの時間が所定時間以内の場合に、該動画像データに対して画像処理を行う。
【手続補正９】
【補正対象書類名】明細書
【補正対象項目名】００１１
【補正方法】変更
【補正の内容】
【００１１】
第１０の発明に係わる動画像データ生成機器は、上記第１乃至第９の発明において、上記人物像の顔の向きを検出する顔検出部を更に具備し、上記頭部変化判定部は、上記顔の向きに基づいて上記頭部の変化の態様を判定する。
第１１の発明に係わる動画像データ生成機器は、上記第１乃至第１０の発明において、上記頭部変化判定部は上記人物像の頭部の動きと共に静止状態を判定し、又は上記動作解析部は上記人物像の動きと共に静止状態を解析する。
【手続補正１０】
【補正対象書類名】明細書
【補正対象項目名】００１２
【補正方法】変更
【補正の内容】
【００１２】
第１２の発明に係わる動画像データ生成方法は、被写体として人物像を含む動画像データを記録し、上記動画像データに基づいて、上記人物像の頭部の変化を検出し、該頭部の変化の態様を判定し、上記頭部の変化の態様の判定結果に基づいて、上記動画像データに対して画像処理を行う。
【手続補正１１】
【補正対象書類名】明細書
【補正対象項目名】００１３
【補正方法】変更
【補正の内容】
【００１３】
本発明によれば、被写体の動きに応じて画像処理を施すので、撮影中に特別な操作を行うことなく、変化に富んだ動画像を取得することの可能な動画像データ生成機器および動画像データ生成方法を提供することができる。